(57)【要約】      （修正有）【課題】重り単元の重り比率を調整することにより、重心位置を変えることができるゴルフクラブヘッドを提供する。【解決手段】ヘッド本体９には少なくとも一個の組立孔９１が形成される。少なくとも一個の重り単元１は位置合わせするように組立孔９１の中に設けられ、重り単元１には塑性重りカバー１１、係止部材１２と当接座１３が形成され、塑性重りカバー１１には軸孔１１３が設けられ、係止部材１２には係止頭端部１２２とねじ桿１２４が設けられ、係止頭端部１２２とねじ桿１２４の一端は互いに連接するように形成され、当接座１３には座体１３１とねじ孔１３２が設けられ、ねじ孔１３２は座体１３１の一端に開設され、そして軸孔１１３と位置合わせるように形成され、ねじ桿１２４のもう一方の一端は軸孔１１３を貫穿してねじ孔１３２に螺合するように構成されている。【選択図】図２
0003161556.tif 000002
【実用新案登録請求の範囲】
【請求項１】
ヘッド本体（９）および少なくとも一個の重り単元（１）を有するゴルフクラブヘッドにおいて、ヘッド本体（９）には少なくとも一個の組立孔（９１）が形成され、少なくとも一個の重り単元（１）は位置合わせるように上記組立孔（９１）の中に設けられ、上記重り単元（１）には塑性重りカバー（１１）、係止部材（１２）と当接座（１３）が形成され、上記塑性重りカバー（１１）には軸孔（１１３）が設けられ、上記係止部材（１２）には係止頭端部（１２２）とねじ桿（１２４）が設けられ、上記係止頭端部（１２２）と上記ねじ桿（１２４）の一端は互いに連接するように形成され、上記当接座（１３）には座体（１３１）とねじ孔（１３２）が設けられ、上記ねじ孔（１３２）は上記座体（１３１）の一端に開設され、そして上記軸孔（１１３）と位置合わせるように形成され、上記ねじ桿（１２４）のもう一方の一端は上記軸孔（１１３）を貫穿して上記ねじ孔（１３２）に螺合するように形成されることを特徴とするゴルフクラブヘッド。
【請求項２】
上記塑性重りカバー（１１）には係止頭部（１１４）が設けられ、上記係止頭部（１１４）は上記塑性重りカバー（１１）の一端に設置され、さらに上記係止頭部（１１４）は非円形の頭部からなるように形成されることを特徴とする請求項１に記載のゴルフクラブヘッド。
【請求項３】
上記係止頭端部（１２１）の外径は上記塑性重りカバー（１１）の軸孔（１１３）の孔径より大きくなるように形成されることを特徴とする請求項１に記載のゴルフクラブヘッド。
【請求項４】
上記係止部材（１２）には駆動凹部（１２２）が設けられ、上記駆動凹部（１２２）は上記係止頭端部（１２１）の一方の表面に凹むように設けられ、上記駆動凹部（１２２）は一字形、十字形または多辺形の凹部からなるよに形成されることを特徴とする請求項１に記載のゴルフクラブヘッド。
【請求項５】
上記係止部材（１２）には位置決め肩部（１２３）が設けられ、上記位置決め肩部（１２３）は上記係止頭端部（１２１）と上記ねじ桿（１２４）の間に設置されることを特徴とする請求項１に記載のゴルフクラブヘッド。
【請求項６】
上記座体（１３１）は円錐形の座体からなり、上記座体（１３１）の二端はそれぞれ小径端部（１３１１）と大径端部（１３１２）からなり、そして上記座体（１３１）の外周面には環状円錐面（１３１３）が形成され、上記環状円錐面（１３１３）は上記小径端部（１３１１）と大径端部（１３１２）の間に位置するように形成されることを特徴とする請求項１に記載のゴルフクラブヘッド。
【請求項７】
上記座体（１３１）には頚部（１３１４）が設けられ、上記頚部（１３１４）は軸方向へ突出するように上記座体（１３１）の小径端部（１３１１）に設けられ、上記頚部（１３１４）の外径は上記軸孔（１１３）の孔径より大きくならないように形成されることを特徴とする請求項６に記載のゴルフクラブヘッド。
【請求項８】
上記ねじ孔（１３２）は上記座体（１３１）の小径端部（１３１１）に開設され、そして上記小径端部（１３１１）を貫穿するように形成されることを特徴とする請求項６に記載のゴルフクラブヘッド。
【請求項９】
上記ねじ孔（１３２）は上記座体（１３１）の大径端部（１３１２）を貫穿していないように形成されることを特徴とする請求項８に記載のゴルフクラブヘッド。
【請求項１０】
上記組立孔（９１）には開口（９１１）が形成され、上記開口（９１１）の形状は上記係止頭部（１１４）の形状に対応して同じになるように形成されることを特徴とする請求項２に記載のゴルフクラブヘッド。
【考案の詳細な説明】
【技術分野】
【０００１】
本考案は、ゴルフクラブヘッドに関するもので、特に、重り単元の重り比率を調整することにより、重心位置を変えることができるゴルフクラブヘッドに係るものである。
【背景技術】
【０００２】
従来のゴルフクラブヘッドとして、例えば中華民国新型公告番号第Ｍ３０３７５２号「調整可能式な重りのゴルフクラブヘッド」（特許文献１を参照）において、従来のゴルフクラブヘッドにはヘッド本体と複数個の重りが含まれる。上記ヘッド本体には複数個の収容凹部が設けられ、上記収容凹部は上記重りを収容するのに用いられる。上記それぞれの重りにはそれぞれ前支持部材、後支持部材とスリーブが形成される。上記前支持部材は円錐形体からなり、そしてその一端には比較的大きい外径のヘッドが設けられる。上記前支持部材には他にねじ孔が設けられ、上記ねじ孔は上記前支持部材の二端面を貫穿するように形成される。上記後支持部材には頭部とねじ桿が形成され、上記頭部も円錐形体からなり、そして上記頭部の小径端部面は上記ねじ桿とは互いに連接するように形成される。上記スリーブは円形の筒体からなり、そして選択的に多種の比重の異なる金属材質（例えば、ステンレス、チタン、ニッケルまたは銅等）からなることができる。上記スリーブには軸孔が設けられ、上記軸孔は上記スリーブの二端面を貫穿するように形成されるようにとしたものがある。
【０００３】
上記重りを組み立てる時、先ず上記前支持部材と後支持部材をそれぞれ上記スリーブの二端から上記軸孔の中に置き入れ、そして上記後支持部材のねじ桿を上記前支持部材のねじ孔の中に対応するように螺合させる。それから、上記重りを上記ヘッド本体の収容凹部の内に置き入れ、そして再び上記後支持部材を回転するように駆動させることにより、上記前支持部材は上記ねじ桿に沿って記後支持部材の頭部に向かって移動する。上記前支持部材と上記頭部の間の距離が持続的に短縮することに従って、上記前支持部材と頭部の円錐の形状によって段々と上記スリーブの環状周壁が外へ拡張するのを圧迫することにより、上記スリーブの環状周壁と上記収容凹部の内周壁面は緊密に貼り合うように形成され、さらに上記重りを上記収容凹部の内に位置決めさせる。また、上記前支持部材が上記ねじ桿に沿って上記後支持部材の頭部に向かって移動することに従って、上記ねじ桿も上記ねじ孔を貫穿して上記収容凹部の底部の固定孔の中に螺設されることにより、上記重りが安定して上記収容凹部の中に位置決めされるのを確保することができる。
【先行技術文献】
【特許文献】
【０００４】
【特許文献１】中華民国新型公告番号第Ｍ３０３７５２号
【考案の概要】
【考案が解決しようとする課題】
【０００５】
上記のような従来のゴルフクラブヘッドにおいては、一般として下記の問題点を有している。上記スリーブは金属材質からなるため、仮に上記スリーブが異なる重りの効果を有する時、上記スリーブの体積を変えることにより、または選択的に異なる比重の金属材質からなるように行うことによって異なる重りの形態を表すことができる。しかし、金属材質の比重は普遍的に高過ぎるため、さらに各種の金属材質間の比重の差異は比較的小さいため、上記金属材質のスリーブの重りとしての範囲が制限されることにより（すなわち最も軽いスリーブと最も重いスリーブの間の重量の差異が比較的小さい）、ゴルフクラブヘッドの重りとしての比率を選択するのに影響を及ぼしてしまうという問題点があった。
【０００６】
その他に、上記金属材質のスリーブの径の拡張の変形量が比較的小さいため、さらにその外表面の摩擦の係数が比較的低いため、仮に上記スリーブの環状周壁と上記収容凹部の内周壁面の間の摩擦力では、依然として上記重りを安定して上記収容凹部の中に位置決めさせることができない。そのため、従来のゴルフクラブヘッドでは余分に上記ねじ桿を利用して上記固定孔に固設しなければ、上記重りを安定して上記収容凹部の中に位置決めすることができない。しかし、従来のゴルフクラブヘッドにおいては沢山の位置決めの構造が設置されるため、製造上において複雑性が増えてしまうだけではなく、製造コストも高くなるという問題点があった。このように、上記のような従来のゴルフクラブヘッドをさらに改良しなければならない。
【０００７】
本考案はこのような問題点に鑑みて考案されたものであって、その第一の目的とするところは、重り単元の重りの比率は比較的多くの選択性を有し、さらにゴルフクラブヘッドの重心位置の変化性を高めることができるゴルフクラブヘッドを提供しようとすることにある。
【０００８】
本考案の第二の目的とするところは、重り単元とヘッド本体の間の結合の信頼性を高めることができるゴルフクラブヘッドを提供しようとすることにある。
【課題を解決するための手段】
【０００９】
上記目的を達成するために、本考案によるゴルフクラブヘッドは、以下のようになるものである。すなわち、
ヘッド本体および少なくとも一個の重り単元を有する。ヘッド本体には少なくとも一個の組立孔が形成される。少なくとも一個の重り単元は位置合わせるように組立孔の中に設けられ、重り単元には塑性重りカバー、係止部材と当接座が形成される。塑性重りカバーには軸孔が設けられる。係止部材には係止頭端部とねじ桿が設けられ、係止頭端部と上記ねじ桿の一端は互いに連接するように形成される。当接座には座体とねじ孔が設けられ、ねじ孔は座体の一端に開設され、そして上記軸孔と位置合わせるように形成される。ねじ桿のもう一方の一端は上記軸孔を貫穿して上記ねじ孔に螺合するように形成される。
【００１０】
また、塑性重りカバーには係止頭部が設けられ、係止頭部は塑性重りカバーの一端に設置され、さらに係止頭部は非円形の頭部からなることもできる。また、係止頭端部の外径は塑性重りカバーの軸孔の孔径より大きくなるように形成されることもできる。また、係止部材には駆動凹部が設けられ、駆動凹部は上記係止頭端部の一方の表面に凹むように設けられ、駆動凹部は一字形、十字形または多辺形の凹部からなるよに形成されることもできる。また、係止部材には位置決め肩部が設けられ、位置決め肩部は上記係止頭端部とねじ桿の間に設置されることもできる。また、座体は円錐形の座体からなり、座体の二端はそれぞれ小径端部と大径端部からなり、そして座体の外周面には環状円錐面が形成され、環状円錐面は小径端部と大径端部の間に位置するように形成されることもできる。また、座体には頚部が設けられ、頚部は軸方向へ突出するように座体の小径端部に設けられ、頚部の外径は軸孔の孔径より大きくならないように形成されることもできる。また、ねじ孔は座体の小径端部に開設され、そして小径端部を貫穿するように形成されることもできる。また、ねじ孔は座体の大径端部を貫穿していないように形成されることもできる。また、組立孔には開口が形成され、開口の形状は上記係止頭部の形状に対応して同じになるように形成されることもできる。
【考案の効果】
【００１１】
本考案のゴルフクラブヘッドによれば、重り単元の重りの比率は比較的多くの選択性を有し、さらにゴルフクラブヘッドの重心位置の変化性を高めることができるという利点がある。
【００１２】
本考案のゴルフクラブヘッドによれば、重り単元とヘッド本体の間の結合の信頼性を高めることができるという利点がある。
【図面の簡単な説明】
【００１３】
【図１】本考案のゴルフクラブヘッドの分解斜視図である。
【図２】本考案のゴルフクラブヘッドの局部の拡大図である。
【図３】本考案のゴルフクラブヘッドの組み立てられた状態の断面図である。
【図４】本考案のゴルフクラブヘッドの重り単元が組立孔に置き入れられた結合状態の断面図である。
【図５】本考案のゴルフクラブヘッドの当接座が塑性重りカバーを半径方向へ拡径するように圧迫した使用状況の説明図である。
【図６】本考案のゴルフクラブヘッドの係止部材が当接座と塑性重りカバーの間の当接状態を解除した使用状況の説明図である。
【図７】本考案のゴルフクラブヘッドの重り単元が組立孔から離脱した状態の説明図である。
【考案を実施するための最良の形態】
【００１４】
本考案の実施の形態について、以下、図面を参照して説明する。
【００１５】
図１は本考案のゴルフクラブヘッドの分解斜視図である。図１を参照すると、本考案の実施例において、ゴルフクラブヘッドは選択的に重り単元１を対応するようにウッド型のゴルフクラブヘッドに配置して実施形態としているが、本実施形態を除いて上記重り単元１を選択的にアイアン型またはパター型等のゴルフクラブヘッドに配置して応用することができる。
【００１６】
図２は本考案のゴルフクラブヘッドの局部の拡大図である。図２を参照すると、本考案の実施例において、重り単元１はヘッド本体９の組立孔９１の中に着脱自在に組み立てられる。重り単元１には塑性重りカバー１１、係止部材１２と当接座１３が含まれる。係止部材１２と当接座１３はそれぞれ塑性重りカバー１１の両端に設置され、そして係止部材１２は塑性重りカバー１１を貫穿して当接座１３と互いに連接するように形成される。係止部材１２と当接座１３が塑性重りカバー１１を圧迫して変形させることにより、塑性重りカバー１１の外表面は組立孔９１の内周壁面と緊密に貼り合うように形成されるため、位置決めの目的を達成することができる。
【００１７】
塑性重りカバー１１は弾力性を有するプラスチック材質から金属粉末を混合して製成するもので、その中に上記弾性力を有するプラスチック材質は選択的にゴムまたはポリウレタン（ＰＵ）などからなり、そして上記金属粉末は好ましくは選択的に比重の高い金属粉末からなり、例えばタングステン、鉛またはニッケルなどからなることにより、塑性重りカバー１１は最良な弾性変形の能力を有するだけではなく、同時に充分な重量を有するためにヘッド本体９の重心位置を調整することができる。塑性重りカバー１１の相対する二端にはそれぞれ第一端１１１と一第二端１１２が形成され、塑性重りカバー１１には軸孔１１３と係止頭部１１４が設けられる。軸孔１１３は塑性重りカバー１１の軸心位置に開設され、そして塑性重りカバー１１の第一端１１１と第二端１１２を軸方向に貫穿する形成される。係止頭部１１４は塑性重りカバー１１の第一端１１１に設置され、そして係止頭部１１４の外径は上記円筒状の塑性重りカバー１１の外径より大きくなるように形成される。係止頭部１１４は非正円形の頭部（例えば、楕円形、六角形またはその他の幾何多辺形など）からなり、本実施例において係止頭部１１４は選択的に六角形の頭部を実施例として説明する。
【００１８】
係止部材１２には係止頭端部１２１、駆動凹部１２２、位置決め肩部１２３とねじ桿１２４が形成される。係止頭端部１２１の外径は塑性重りカバー１１の軸孔１１３の孔径より大きくなるように形成され、係止頭端部１２１の相対する二個の表面にはそれぞれ第一表面１２１１と第二表面１２１２が形成される。駆動凹部１２２は係止頭端部１２１の第一表面１２１１に対応するように凹設される。駆動凹部１２１は可選択的に一字形、十字形または多辺形の凹部からなり、そして工具Ｔを利用して位置合せして挿入することによって係止部材１２を回動するように連動させる（例えば図４に示す如く）。位置決め肩部１２３は係止頭端部１２１の第二表面１２１２に設置され、位置決め肩部１２３の形状と外径は軸孔１１３の形状と孔径に対応して同じになるように形成される。ねじ桿１２４の一端は位置決め肩部１２３に連接され、そしてもう一方の一端は自由端である。
【００１９】
当接座１３には座体１３１とねじ孔１３２形成される。座体１３１は円錐形の座体からなり、座体１３１の二端はそれぞれ小径端部１３１１と大径端部１３１２からなり、そして座体１３１の外周面には環状円錐面１３１３が形成される。環状円錐面１３１３は小径端部１３１１と大径端部１３１２の間に位置するように形成される。その他に、座体１３１には頚部１３１４が設けられ、頚部１３１４は小径端部１３１１から座体１３１の軸方向に沿って延伸して突出するように設けられる。頚部１３１４の外径は塑性重りカバー１１の軸孔１１３の孔径より大きくならないように形成される。ねじ孔１３２は小径端部１３１１に開設され、そして本実施例において、ねじ孔１３２は選択的に頚部１３１４の軸心位置に開設される状態を実施例として説明する。また、ねじ孔１３２は小径端部１３１１を貫穿し、そして大径端部１３１２を貫穿しないように形成される。
【００２０】
図３は本考案のゴルフクラブヘッドの組み立てられた状態の断面図である。図２、３を参照すると、重り単元１をヘッド本体９の組立孔９１の中に位置合わせるように組み立てる前に、先ず、係止部材１２のねじ桿１２４を塑性重りカバー１１の第一端１１１から軸孔１１３の中に位置合わせるように挿入する。この時に、位置決め肩部１２３はちょうど軸孔１１３の内周壁面に当接するように形成されることにより、係止部材１２が塑性重りカバー１１に相対して半径方向へ任意に偏移するのを減らすことができるため、係止部材１２を安定して塑性重りカバー１１の第一端１１１に位置決めすることができる。それから、座体１３１の頚部１３１４を塑性重りカバー１１の第二端１１２から軸孔１１３の中に位置合わせるように挿入し、そしてねじ桿１２４の自由端を当接座１３のねじ孔１３２の中に螺合し、さらに座体１３１の一部分の環状円錐面１３１３を塑性重りカバー１１の第二端１１２に当接させる。
【００２１】
図４は本考案のゴルフクラブヘッドの重り単元が組立孔に置き入れられた結合状態の断面図で、図５は本考案のゴルフクラブヘッドの当接座が塑性重りカバーを半径方向へ拡径するように圧迫した使用状況の説明図である。図３、４、５を参照すると、上述した重り単元１の組立の手順を完成した後、重り単元１を位置合わせるように組立孔９１の中に置き入れる。組立孔９１には係止頭部１１４の形状に対応するように六角形の開口９１１が設けられるため、重り単元１を組立孔９１に置き入れる時、塑性重りカバー１１の係止頭部１１４は位置合わせするように開口９１１に係合されることにより、重り単元１が組立孔９１の中に任意に回動するのを防止することができる。
【００２２】
重り単元１を位置合わせるように組立孔９１の中に置き入れた後、工具Ｔを利用して駆動凹部１２２に挿入し、そして係止部材１２を回動させることにより、ねじ桿１２４を持続的にねじ孔１３２にねじ込むことができる。ねじ桿１２４が推し進むに従って、係止頭端部１２１と環状円錐面１３１３の間の相対的な距離も段々と短縮するように形成されるため、小径端部１３１１は軸孔１３２の中に進入される。そして環状円錐面１３１３も軸孔１３２の内周壁面を押圧するように形成されることにより、塑性重りカバー１１を半径方向へ拡径するように圧迫し、これによって塑性重りカバー１１は組立孔９１の内周壁面と互いに緊密かつ固定して貼り合うことができる、そのため、重り単元１を組立孔９１の中に位置決めする目的を達成することができる。
【００２３】
図６は本考案のゴルフクラブヘッドの係止部材が当接座と塑性重りカバーの間の当接状態を解除した使用状況の説明図で、図７は本考案のゴルフクラブヘッドの重り単元が組立孔から離脱した状態の説明図である。図６、７を参照すると、例えば、重り単元１を組立孔９１から離脱させようとする時、工具Ｔを利用して駆動凹部１２２の中に挿入し、そして係止部材１２を反対方向に回転するように駆動させることで、係止頭端部１２１と環状円錐面１３１３の間の相対的な距離もねじ桿１２４の反対方向への回動によって段々と増えていく。そのため、座体１３１の環状円錐面１３１３も軸孔１１３から離脱することにより、塑性重りカバー１１の外周壁面は軸孔１１３の内周壁面と緊密に貼り合わないように形成されるため、使用者は工具Ｔを利用して重り単元１を組立孔９１の中から取り出すことができる。
【産業上の利用可能性】
【００２４】
上述の如く、本考案のゴルフクラブヘッドによれば、本考案の塑性重りカバー１１は弾力性を有するプラスチック材質から比重の高い金属粉末を混合して製成するものであるため、同時に弾力性を有するプラスチック材質と比重の高い金属粉末の特性を保有することができ、故にその表面の摩擦係数は一般金属表面の摩擦係数より高く、そして比較的良好な弾性変形の能力を有するため、塑性重りカバー１１が環状円錐面１３１３に押圧される時、塑性重りカバー１１はさらに緊密に組立孔９１の内周壁面に貼り合うことができるように形成され、そして滑動が生じ易くなく、両者間の結合の信頼性を大幅に高めることができる。
【００２５】
また、本考案のゴルフクラブヘッドによれば、上記弾性力を有するプラスチック材質と金属粉末の間の材質の比率をさらに変えることにより、塑性重りカバー１１の単位重量を調整することができるため、その他の比重の金属材質を取り換える必要がなく、または塑性重りカバー１１の全体の体積を変える必要がない。また、弾性力を有するプラスチック材質と金属粉末の間には比較的大きい比重の差（例えば、大部分のゴムの密度は１.０ g/cm３位で、タングステンの密度は約１９.２５ g/cm３である）を有することにより、塑性重りカバー１１の単位重量は比較的大きい範囲で選択することができるため、ヘッド本体９が重心の調整上において更なる多くの変化を提供することができる。
【００２６】
本考案は、その精神とび必須の特徴事項から逸脱することなく他のやり方で実施することができる。従って、本明細書に記載した好ましい実施形態は例示のなものであり、限定のなものではない。
【符号の説明】
【００２７】
１    重り単元
１１    塑性重りカバー
１１１    第一端
１１２    第二端
１１３    軸孔
１１４    係止頭部
１２    係止部材
１２１    係止頭端部
１２１１    第一表面
１２１２    第二表面
１２２    駆動凹部
１２３    位置決め肩部
１２４    ねじ桿
１３    当接座
１３１    座体
１３１１    小径端部
１３１２    大径端部
１３１３    環状円錐面
１３１４    頚部
１３２    ねじ孔
９    ヘッド本体
９１    組立孔
９１１    開口
Ｔ    工具
【図１】
0003161556.tif 000003
【図２】
0003161556.tif 000004
【図３】
0003161556.tif 000005
【図４】
0003161556.tif 000006
【図５】
0003161556.tif 000007
【図６】
0003161556.tif 000008
【図７】
0003161556.tif 000009
【手続補正書】
【提出日】平成22年5月31日(2010.5.31)
【手続補正１】
【補正対象書類名】実用新案登録請求の範囲
【補正対象項目名】全文
【補正方法】変更
【補正の内容】
【実用新案登録請求の範囲】
【請求項１】
ヘッド本体（９）および少なくとも一個の重り単元（１）を有するゴルフクラブヘッドにおいて、ヘッド本体（９）には少なくとも一個の組立孔（９１）が形成され、少なくとも一個の重り単元（１）は位置合わせるように上記組立孔（９１）の中に設けられ、上記重り単元（１）には塑性重りカバー（１１）、係止部材（１２）と当接座（１３）が形成され、上記塑性重りカバー（１１）には軸孔（１１３）が設けられ、上記係止部材（１２）には係止頭端部（１２１）とねじ桿（１２４）が設けられ、上記係止頭端部（１２１）と上記ねじ桿（１２４）の一端は互いに連接するように形成され、上記当接座（１３）には座体（１３１）とねじ孔（１３２）が設けられ、上記ねじ孔（１３２）は上記座体（１３１）の一端に開設され、そして上記軸孔（１１３）と位置合わせるように形成され、上記ねじ桿（１２４）のもう一方の一端は上記軸孔（１１３）を貫穿して上記ねじ孔（１３２）に螺合するように形成されることを特徴とするゴルフクラブヘッド。
【請求項２】
上記塑性重りカバー（１１）には係止頭部（１１４）が設けられ、上記係止頭部（１１４）は上記塑性重りカバー（１１）の一端に設置され、さらに上記係止頭部（１１４）は非円形の頭部からなるように形成されることを特徴とする請求項１に記載のゴルフクラブヘッド。
【請求項３】
上記係止頭端部（１２１）の外径は上記塑性重りカバー（１１）の軸孔（１１３）の孔径より大きくなるように形成されることを特徴とする請求項１に記載のゴルフクラブヘッド。
【請求項４】
上記係止部材（１２）には駆動凹部（１２２）が設けられ、上記駆動凹部（１２２）は上記係止頭端部（１２１）の一方の表面に凹むように設けられ、上記駆動凹部（１２２）は一字形、十字形または多辺形の凹部からなるよに形成されることを特徴とする請求項１に記載のゴルフクラブヘッド。
【請求項５】
上記係止部材（１２）には位置決め肩部（１２３）が設けられ、上記位置決め肩部（１２３）は上記係止頭端部（１２１）と上記ねじ桿（１２４）の間に設置されることを特徴とする請求項１に記載のゴルフクラブヘッド。
【請求項６】
上記座体（１３１）は円錐形の座体からなり、上記座体（１３１）の二端はそれぞれ小径端部（１３１１）と大径端部（１３１２）からなり、そして上記座体（１３１）の外周面には環状円錐面（１３１３）が形成され、上記環状円錐面（１３１３）は上記小径端部（１３１１）と大径端部（１３１２）の間に位置するように形成されることを特徴とする請求項１に記載のゴルフクラブヘッド。
【請求項７】
上記座体（１３１）には頚部（１３１４）が設けられ、上記頚部（１３１４）は軸方向へ突出するように上記座体（１３１）の小径端部（１３１１）に設けられ、上記頚部（１３１４）の外径は上記軸孔（１１３）の孔径より大きくならないように形成されることを特徴とする請求項６に記載のゴルフクラブヘッド。
【請求項８】
上記ねじ孔（１３２）は上記座体（１３１）の小径端部（１３１１）に開設され、そして上記小径端部（１３１１）を貫穿するように形成されることを特徴とする請求項６に記載のゴルフクラブヘッド。
【請求項９】
上記ねじ孔（１３２）は上記座体（１３１）の大径端部（１３１２）を貫穿していないように形成されることを特徴とする請求項８に記載のゴルフクラブヘッド。
【請求項１０】
上記組立孔（９１）には開口（９１１）が形成され、上記開口（９１１）の形状は上記係止頭部（１１４）の形状に対応して同じになるように形成されることを特徴とする請求項２に記載のゴルフクラブヘッド。
【手続補正２】
【補正対象書類名】明細書
【補正対象項目名】００１８
【補正方法】変更
【補正の内容】
【００１８】
係止部材１２には係止頭端部１２１、駆動凹部１２２、位置決め肩部１２３とねじ桿１２４が形成される。係止頭端部１２１の外径は塑性重りカバー１１の軸孔１１３の孔径より大きくなるように形成され、係止頭端部１２１の相対する二個の表面にはそれぞれ第一表面１２１１と第二表面１２１２が形成される。駆動凹部１２２は係止頭端部１２１の第一表面１２１１に対応するように凹設される。駆動凹部１２２は可選択的に一字形、十字形または多辺形の凹部からなり、そして工具Ｔを利用して位置合せして挿入することによって係止部材１２を回動するように連動させる（例えば図４に示す如く）。位置決め肩部１２３は係止頭端部１２１の第二表面１２１２に設置され、位置決め肩部１２３の形状と外径は軸孔１１３の形状と孔径に対応して同じになるように形成される。ねじ桿１２４の一端は位置決め肩部１２３に連接され、そしてもう一方の一端は自由端である。